(57)【要約】  本発明は、移動局で生成された映像を移動局に記録し、記録映像ファイルに命名することに関する。映像ファイルに命名するために、移動局内で入手可能なデータから映像に関する所与の特徴を検索する。映像ファイル名称提案から成る名称提案表に検索した特徴を付加して、名称提案表を完成させる。完成した名称提案表をユーザインターフェイスを介して表示する。これによって、映像ファイル名の編集が可能になる。
2007504546.tif 000002
【特許請求の範囲】
【請求項１】
移動局のカメラで生成された映像が保管される移動局映像ファイルに命名する方法であって、
-  移動局で入手可能なデータの中から映像に対応する所与の特徴を検索し（102）、
-  検索された特徴から、映像ファイルの名称提案から成る名称提案表を作成するために名称提案表に付加される名称提案を作成し、
-  映像ファイル名を編集できるように、作成された名称提案表をユーザインターフェイスを介して表示する
ことを特徴とする方法。
【請求項２】
移動局においては、撮影時期に対応する日時情報（301）が検索され、前記情報を元に名称提案が作成され、名称提案が映像ファイル名称提案表に付加されることを特徴とする請求項1に記載の方法。
【請求項３】
移動局においては、撮影時期に所与の精度で対応するカレンダー事象（302）が検索され、カレンダー事象が検索された場合は、前記カレンダー事象が映像ファイル名称提案表に名称提案として付加されることを特徴とする請求項1〜2のいずれか1つに記載の方法。
【請求項４】
移動局においては、以前に保管された映像ファイルのファイル名（303）が検索され、映像ファイル名称提案表に名称提案として付加されることを特徴とする請求項1〜3のいずれか1つに記載の方法。
【請求項５】
移動局においては、動作プロファイル（304）と設定（305）とから、一定の基準に従って映像に対応するデータが検索され、前記データを使用して映像ファイル名称提案表の名称提案が作成されることを特徴とする請求項1〜4のいずれか1つに記載の方法。
【請求項６】
保管対象の映像を移動局の画像認識アルゴリズム（306）で処理して、映像から認識される特徴に基づいて映像ファイル名称提案を生成し、生成した名称提案を映像ファイル名称提案表に付加することを特徴とする請求項1〜5のいずれか1つに記載の方法。
【請求項７】
移動局の位置情報を検索し、前記位置情報に基づいて、映像ファイル名称提案表に付加される名称提案を作成することを特徴とする請求項1〜6のいずれか1つに記載の方法。
【請求項８】
移動局においては、ユーザ指定の名称提案（307）が検索され、前記検索されたユーザ指定の名称提案が映像ファイル名称提案表に付加されることを特徴とする請求項1〜7のいずれか1つに記載の方法。
【請求項９】
作成された映像ファイル名称提案表内の名称提案を所定の優先規則に従って優先順（308）に配列して、優先順位の最も高い名称提案が名称提案表の一番目に来るようにし、名称提案表の一番目の名称提案をユーザインターファイスを介して映像ファイルの省略時名（309）として設定することを特徴とする請求項1〜8のいずれか1つに記載の方法。
【請求項１０】
映像ファイル名を編集可能にするユーザインターフェイスを介して、表示された名称提案の中の一つあるいは数個を指定することによって、映像ファイル名を選出することを特徴とする請求項1〜9のいずれか1つに記載の方法。
【請求項１１】
映像ファイル名を編集可能にするユーザインターフェイスを介して、映像ファイル名称提案を編集することによって、映像ファイル名を作成することを特徴とする請求項10に記載の方法。
【請求項１２】
後に保管される映像が移動局カメラで撮られる前に、前記の方法の各段階が移動局で実行されることを特徴とする請求項1〜11のいずれか1つに記載の方法。
【請求項１３】
保管対象の映像が移動局カメラ（101）で撮られた直後に前記の方法の各段階が実行されることを特徴とする請求項1〜12のいずれか1つに記載の方法。
【請求項１４】
以前に保管された映像であって、移動局のメモリに既に格納されているか映像ファイルに含まれる映像に基づいて、前記の方法の各段階が実行されることを特徴とする請求項1〜13のいずれか1つに記載の方法。
【請求項１５】
移動局カメラで生成された映像を含む映像ファイルに命名する装置であって、
-  移動局で入手可能なデータから映像に対応する所与の特徴を検索する（201、204、205、206，207、208、209、210）手段と、
-  前記検索された特徴に基づいて名称提案を作成し、作成した名称提案を映像ファイルの名称提案表に付加し、これによって前記名称提案表を完成させる手段と、
-  ユーザインターファイスを介して完成された名称提案表を表示する（201、203）手段と、
-  ユーザインターフェイスを介して映像ファイル名を編集する手段と
で構成されることを特徴とする装置。
【請求項１６】
更に、撮影時期に対応する日時情報（205）を移動局で検索して、検索した情報の名称提案を作成し、また、その名称提案を映像ファイル（201）の名称提案表に名称提案として付加する手段で構成されることを特徴とする請求項15に記載の装置。
【請求項１７】
更に、撮影時期に所与の精度で対応するカレンダー事象（206）を移動局で検索して、検索したカレンダー事象を映像ファイル名称提案表（201）に名称提案として設定する手段で構成されることを特徴とする請求項15〜16のいずれか1つに記載の装置。
【請求項１８】
更に、以前に保管された映像ファイル名（207）を移動局で検索し、それを映像ファイル名称提案表（201）に名称提案として付加する手段で構成されることを特徴とする請求項15〜17のいずれか1つに記載の装置。
【請求項１９】
更に、移動局で動作プロファイル（208）と設定（209）とから情報を検索し、検索した情報を元に名称提案を作成し、映像ファイル名称提案表（201）に作成した名称提案を付加する手段で構成されることを特徴とする請求項15〜18のいずれか1つに記載の装置。
【請求項２０】
更に、保管対象の映像を処理し、その映像から認識できる特徴を検索する手段（210）と、映像から認識された特徴に従って映像ファイル名称提案を作成する手段（201、210）とで構成されることを特徴とする請求項15〜19のいずれか1つに記載の装置。
【請求項２１】
更に、移動局の位置情報を問合せ（212）、受信した位置情報に基づいて映像ファイル名称提案を作成する手段で構成されることを特徴とする請求項15〜20のいずれか1つに記載の装置。
【請求項２２】
更に、映像ファイル名称提案を入力するための手段と、移動局に保管された映像ファイル名称提案（204）を移動局から検索する手段とで構成されることを特徴とする請求項15〜21のいずれか1つに記載の装置。
【請求項２３】
更に、移動局で作成された映像ファイル名称提案を所定の優先規則に従って優先順に（201）配列する手段と、最も優先順位の高い名称が名称提案表の一番目に来るように名称提案表（201）を整理する手段と、表の一番目の名称提案を映像ファイル省略時名（201）として設定する手段とで構成されることを特徴とする請求項15〜22のいずれか1つに記載の装置。
【請求項２４】
更に、名称提案の中から一つか数個を指定することによって、ユーザインターフェイスを介して表示された名称提案表から映像ファイル名を選出する手段で構成されることを特徴とする請求項15〜23のいずれか1つに記載の装置。
【請求項２５】
更に、ユーザインターフェイスを介して映像ファイル名称提案（202）を編集する手段で構成されることを特徴とする請求項24に記載の装置。
【請求項２６】
前記手段はソフトウエア手段であることを特徴とする請求項15〜25のいずれか1つに記載の装置。
【請求項２７】
移動局カメラで撮られた映像を記録する映像ファイルに命名するプログラムであって、
-  移動局において入手可能なデータから映像に関する所定の特徴を検索する（201、204、205、206、207、208、209、210）プログラミング手段と、
-  検索された特徴を映像ファイル名称提案表に付加し、これによって前記名称提案表を完成させるプログラミング手段と、
-  ユーザインターフェイスを介して作成された名称提案表を表示する（201、203）プログラミング手段と、
-  ユーザインターフェイスを介して映像ファイル名を編集するプログラミング手段と
で構成されることを特徴とするプログラム。
【発明の詳細な説明】
【技術分野】
【０００１】
本発明は、移動局で撮影された映像の移動局における記録に係わり、特に、それぞれの映像ファイルの命名に係わる。
【背景技術】
【０００２】
カメラを備えた移動局の増加に伴い、移動局に保管される映像量は増加の一途をたどっている。カメラは、構成要素として移動局に固定的に組込まれるか付属品として移動局に搭載される。更に、カメラは、品質の改善が進み小型化されている。すなわち、カメラと映像とはどの移動局にも共通に装備されつつある。映像間間隔は益々短縮され、一連の映像の周期も短くなり、保管対象の映像の量も一層増加すると思われる。移動局で撮影される映像の量と移動局に保管される映像とが増加すると、映像管理が益々重要なものとなる。
【発明の開示】
【発明が解決しようとする課題】
【０００３】
多数の映像の中から特定の映像を探し出すのは時間がかかり面倒である。普通、移動局のメモリに保管された映像ファイルは命名される。このとき、ファイル名は、当該ファイルが映像ファイルであることを示す頭文字部と通し番号と映像フォーマットに準じた修飾子とで構成される。映像の命名においては、例えば、各映像名の先頭に「画像」の文字列が付加され、この文字列の後に計算機によって示される数字と修飾子例えば「.jpg」とが付加される。装置によっては、映像ファイルであることを即座に識別できるように、映像ファイル名の最初の部分を成す文字列をユーザが決定する。しかし、最初の部分は保管対象の映像ファイル全部について同一であり、ファイル名は計算機で示される値でのみ区別される。計算機で示されるファイル名に関する問題の一つに、ファイル名の長さには最大値がある点である。この最大長が計算機で対応可能な最高値である場合、例えば、ファイル名の最大長が6文字で最新名が「画像9.jpg」だと、計算機はリセットされ、計算機とファイル番号の両方が初期状態に戻ってしまう。先に作成された「画像0.jpg」という映像ファイルを移動局に保管しようとする場合、計算機がリセットされると、新しいファイル「画像0.jpg」が古いファイルに上書きされて、古いファイルのデータが失われてしまう。
【０００４】
計算機の値で区別されるファイル名を使用する場合、ファイルの管理が困難となるという問題も生じる。普通、映像ファイルは、全部同一の場所に保管され、連続番号によってのみ互いに区別される。ある映像ファイルを探索する場合、通常、所望のファイルが見つかるまで映像ファイルを次々に調べるしかない。表示装置に映像をロードするには時間がかかる。すなわち、映像ファイルを順次調べることは通常非常にのろのろとしていらいらする作業である。表示ブラウザでは、映像ファイルは普通保管されるときと同じ順序すなわち番号順に表示される。ファイルを開かずには、相互に関連する映像あるいは探索中の映像の情報を得るのは不可能である。処理対象の映像の枚数が数百である場合、先行技術による映像ファイルの管理と処理は不可能である。
【０００５】
たいていの場合、映像ファイルはその名称で探索される。ファイル名はしばしば、メタデータが埋込まれた映像ファイルは別として、ファイル中の映像についての唯一のテキスト形式の記述である。従って、映像ファイルに名前をつけることは重要である。処理対象の映像ファイルの枚数が多いほど、処理やある映像の探索の観点および全ての映像管理/使用形態に鑑みファイル名は重要な意味を持つ。
【０００６】
本発明の目的は、移動局映像ファイルの処理をより簡単に高速に単純に行うための方法と装置とを提供することである。本発明の別の目的は、映像ファイルを個別化して映像ファイル名を明確に区別できるようにすることである。更に別の目的は、移動局映像ファイルに記述的な名称をつけることである。本発明の更に別の目的は、移動局映像ファイルに単純に簡単に命名することである。
【課題を解決するための手段】
【０００７】
上記の目的を達成するために、移動局に存在するデータあるいは移動局で入手可能なデータを用いて映像ファイルの名称提案を生成し、名称提案を編纂して名称提案表を作成し、その表をユーザインターフェイスを介して表示する。これによって、映像ファイル名の編集が可能になる。
【０００８】
本発明は独立請求項に記載されている内容によって特徴づけられる。本発明の別の実施例は従属請求項に記載される。
【０００９】
移動局において入手可能なデータを用いて、移動局カメラで生成された映像が保管された映像ファイルである移動局映像ファイルに命名するための実施例によれば、映像に関する所与の特徴を探索し、その特徴を一つの名称提案として映像ファイル用の名称提案から成る名称提案表に付加して名称提案表を完成させ、完成された名称提案表をユーザインターフェイスを介して表示する。これによって、映像ファイル名を編集できる。移動局カメラで撮られた映像は、移動局において映像ファイルに保管される。この映像ファイルの命名のために、移動局にすでに存在するデータを調査する。複数の名称提案の中から、ユーザに提案され当該映像ファイルの省略時名として採用されるのに相応しい最善の名称提案に所与の優先規則に従って優先権を与える。本発明の実施例によれば、探索された名称提案に基づいて作成された名称提案表は、ユーザインターフェイスを介してユーザに表示される。これによって、映像ファイル名提案の編集が可能になる。一つの実施例によれば、映像ファイル名を編集する際に使用するユーザインターフェイスを介して、所与の提案あるいは数個の提案を指定することによって、表示された名称提案の中から映像ファイル名を選出する。別の実施例によれば、映像ファイル名を編集する際に使用するユーザインターフェイスを介して、映像ファイル名提案を編集することによって映像ファイル名を作成する。ユーザインターフェイスを介してユーザは、提案されたファイル名を編集でき、所与の提案の中から所望のファイル名を選択でき、数個の提案から成るファイル名を編纂したり提案を編集したりできる。本実施例に係わる移動局で撮られた映像に命名する方法は、ユーザにとっては簡単な方法である。それは、この映像ファイル命名法では、移動局にすでに存在するデータとテキストとを利用するため、ユーザは手動でそれらを作り直さなくても済むからである。また、メニューを使えば、ユーザは、選択肢を指定することによって所望のオプションを選出するだけでよく、既に書き込まれたテキストなどを書換える必要はない。
【００１０】
本発明は、入手可能な移動局全部に適用可能である。本発明は、基本的に、記録処理、探索処理、作表処理、索引あるいは格納場所の編成処理などの映像処理を強化する。これは、本発明の実施例によって与えられるファイル名は、普通、着目映像の内容を記述したものだからである。ファイルの個別化は別として、記述的ファイル名によって、ファイルを開かずとも所与の映像を識別し検索することができる。更に、本発明に係わる装置によれば、移動局における映像ファイル処理が可能になりより容易になる。また、映像ファイルを処理する際に映像をマイクロプロセッサなどの別の装置に移動する必要はない。移動局については、本発明に係わる装置は、付加価値および新規の特徴と機能をもたらす。更に、本発明に係わる装置については、映像画像を記録する未来の通信装置へと容易に拡張できる。同様に、画像認識アルゴリズムと装置の発展に伴い、本発明によれば、カメラで生成された映像のための名称提案が改善され映像コンテンツをより的確に記述するものとなる。
【発明を実施するための最良の形態】
【００１１】
本発明の優先的実施例について添付の図面を参照して詳細に述べる。
【００１２】
図1に示すように、ステップ101において、移動局カメラで映像が撮られる。通常、映像はデジタル形式であり、映像を撮るために必要なカメラは移動局の固定の構成要素として組込まれる。カメラはまた移動局の補助装置として接続されることもあり、この場合、本発明の実施例は元来カメラを備えていない従来の移動局において実現される。ここで、映像は、一連の映像あるいは記録された動画を含むいわゆる映像クリップでもよい。また、移動局に組込まれた映像カメラや補助装置としての映像カメラで記録された動画も、本発明の一つの実施例に従って保管し命名できる。この場合、適用可能な映像形式全部を映像と呼ぶ。
【００１３】
移動局で撮られた映像は普通移動局のメモリに保管される。図1のステップ102において、移動局に既に存在するデータであって一定の基準に従ってステップ101で撮られた映像に対応するデータに基づいて本発明の実施例に従って映像ファイル名称提案から成る名称提案表を作成する。移動局の所与の部分か構成要素で装置のメモリに既に書込まれた情報あるいは装置に既に存在する情報を探索することによって、あるいは、情報を生成することによって、名称提案表が編纂される。生成された適用可能な情報は、メモリに保管され映像ファイル名称提案からなる名称提案表に付加される。このようにして、名称提案表が移動局に既に存在するデータあるいは移動局において入手可能なデータから編纂される。また、名称提案は、例えば、映像やコンテンツやコンテンツのデータや撮影時間や撮影場所や撮影事象などに対応付けられる。移動局で探索された特徴を元に作成された名称提案表内の名称提案によって、保管対象の映像ファイルの記述的名称であって映像ファイル内の映像に対応する名称を簡単に使い勝手良く選択できる。
【００１４】
作成された名称提案表は、ステップ103において一つの実施例に従ってユーザインターフェイスを介してユーザに表示される。一つの実施例に従って作成された名称提案表から、着目映像に最もよく対応する名称提案が、ある優先規則に従ってその映像ファイルの省略時名として選択される。例えば、名称提案表に映像の内容を示す語句が含まれる場合、ステップ103において映像ファイル名として提案される映像ファイルの省略時名としてユーザインターフェイスを介して設定される。選択された映像ファイルの省略時名は、ユーザにとって受入れやすい提案である。一つの実施例によれば、ユーザは、例えば、提案された省略時名を変更もしくは何かを付加することによって編集することが可能である。編集処理は、一つの実施例によればユーザインターフェイスを介して、以前の提案に置換えるか結合させる新しい名称提案を生成された名称提案表から選択することによって実現される。例えば、名称提案表には撮影時間が列記される。夏や秋あるいは夜や朝といった撮影時間に基づいて、日付や名称提案として編集された言語の特徴が、提案された映像ファイルの省略時名の語尾に付加される。
【００１５】
本発明の一つ実施例によれば、移動局に既に存在する情報に基づいて生成された名称提案表を使用することによって映像ファイルの命名がより簡単に自動的になる。映像の処理や保管が簡単になると、移動局で画像処理をし易くなる。また、映像を管理するために別の装置へ映像を移動する必要がない。ユーザは自分たちの装置で多くの機能を利用でき、これによって、移動局は用途が一層広がり有意義なものとなる。
【００１６】
移動局カメラで撮られた映像を記録する映像ファイルに命名するための本実施例に係わる装置は、移動局において入手可能な情報の中から映像に関する所与の特徴を探索する手段と、探索された特徴から名称提案を生成する手段と、生成された名称提案を名称提案表に付加して映像ファイル名称提案表を完成させる手段と、ユーザインターフェイスを介して完成した名称提案表を表示する手段と、ユーザインターフェイスを介して映像ファイルを編集する手段とで構成される。一つの実施例によれば、この装置は、更に、映像ファイルの名称提案を作成するために移動局で探索された情報をある優先規則に従って優先順に配列する手段と、優先順位の最も高いものが名称提案表の一番目に来るように名称提案を配列する手段と、表の一番目の名称提案を映像ファイルの省略時名として設定する手段とで構成される。
【００１７】
図2は、本発明の一つの実施例の基本的構成要素を示すブロック図である。ただし、ネットワーク接続を確立する送受信部やデータをネットワークに送信したりネットワークから受信したりする送受信部については、移動局自体には本質的に重要な部分ではあるが、本発明に効果を発揮するものではないので図示されていない。図2の実施例では、制御部201が装置の動作や処理の制御を担当する。制御部201は、装置の動作を判断し制御し監視するマイクロプロセッサで構成される。制御部201は、直接あるいは個々の制御部を介して装置の全機能部や構成部に接続される。一つの実施例による装置は、映像ファイル名称提案を提供する手段と、移動局内の映像ファイル名称提案を探索する手段と、ユーザインターフェイスを介して映像ファイル名を編集する手段と、所与の名称提案あるいは数個の名称提案を指定することによって、ユーザインターファイスを介して作成された名称提案表から映像ファイル名を選出する手段とで構成される。図2にしめすデータ入力装置はキーパッド202である。当然のことながら、例えば、接触型表示装置やペンシル入力が必要な表示装置や音声入力を受信する部分やマウスなどの本装置へデータを入力するための装置を更なる入力装置として、あるいは、キーパッドの代わりに備えてもよい。図2のデータは、一つの実施例に従ってユーザインターフェイスを介して表示部203に表示される。更に、表示装置はデータを格納するためのメモリ部204を備えている。
【００１８】
図2は、例えば、本発明に従って名称提案表を作成するために調べられる装置の各部分を示す。一つの実施例によれば、実施例2に関連づけて説明した手段の装置全部をソフトウエア手段とすることができる。実施例で述べた機能は、装置の各構成部分によって実現され、本発明の実施例に従って機能するようプログラムされる。一つの実施例によれば、装置は、撮影時期に対応する移動局日時情報を検索する手段と、検索された情報の名称提案を生成する手段と、映像ファイル名称提案表に名称提案を付加する手段とで構成される。図2に示す具体的実施例では、刻時機構205で撮影時期の時間情報が探索される。時間情報は、普通、時間と日付とで構成され、月や時刻や季節などに基づいて数値名称提案あるいは言語名称提案へと処理される。
【００１９】
一つの実施例によれば、装置は、撮影時刻に所与の精度で対応するカレンダー事象を移動局から検索する手段と、検索されたカレンダー事象を名称提案として映像ファイル名称提案表に付加する手段とで構成される。図2に示すカレンダー206には、所与の精度で撮影時期に比較される所与の時間に対応づけられた符号や注釈が記載される。ユーザは、キーパッド202を用いてカレンダーにデータを入力する。カレンダー206に対応するデータは、装置のメモリ部やカレンダーに割り当てられたメモリの一部分や図2には示されていないカレンダー内の別個のメモリ部206に保管される。本装置は、更に、撮影時期の時間情報あるいは刻時機構から表へ付加された時間情報とカレンダー事象の時間情報とを比較する手段で構成される。
【００２０】
一つの実施例によれば、本装置は、更に、以前に移動局に保管された映像ファイル名を探索する手段と、それを映像ファイル名提案表に名称提案として付加する手段とで構成される。映像格納部207は、装置の映像ファイルが保管されるメモリ部あるいはメモリ部の一部分に該当する。装置は、更に、映像格納処理を行うためのユーザインターフェイスで構成される。更に、装置は、映像格納部から以前の映像ファイルの名称を検索するためにファイル記録時間を比較する手段で構成される。
【００２１】
一つの実施例によれば、装置は、更に、動作プロファイル208と設定209とからデータを検索する手段と、見つけた情報を元に名称提案を作成する手段と、名称提案を映像ファイル名称提案表に付加する手段とで構成される。プロファイル208とは、ユーザ固有の動作環境を定義するためのユーザ固有情報からなるファイルのことである。プロファイル208内の定義は、たとえば、選出した音声と音量とに関するものである。設定209とは、一般的な呼設定と言語とネットワーク選定および装置の電源が入れられたときに画面203上に表示される挨拶文などのことである。これらから、所定の情報あるいは所与の根拠で映像に対応づけられる情報であって、映像ファイル名称提案表に付加される名称提案を作成する際に使用される情報が探索される。
【００２２】
図2の実施例には、画像認識部210も含まれる。本発明の一つの実施例によれば、装置は、保管対象の映像を処理し認識される特徴を映像から検索する画像認識手段210と、映像から認識された特徴に従って名称提案を生成する手段とで構成される。装置で入手可能な映像は、これらの手段と画像認識部210に備えられたアルゴリズムとによって処理され、認識すべき目標あるいは要素が検索される。本画像認識手法によれば、命名対象の映像の内容に関する情報を求め、本発明に従って編纂された名称提案表に付加するのに最適な記述的ファイル名称提案を得る。図示の画像認識手段210を使用して、パターン認識アルゴリズムに従って周知のパターンあるいは目標を撮影された映像から検索する。例えば、映像から周知の場所が認識される。認識された目標に基づいて、映像を例えば以前の映像から成る映像組に分類してもよい。この場合、名称提案表に付加される映像ファイル名称提案は、映像組毎に固有の名称提案あるいはその前半部分となる。
【００２３】
図2には電話帳211が示されている。電話帳に含まれるデータは、本発明の実施例に従って名称提案を作成する際にも利用される。本発明の観点からすれば、動的電話帳211に保管された状態データから名称提案が生成される。ユーザは、状態情報例えば「会議中」といった情報を動的電話帳211に記録することができる。更に、ユーザは、所与の別のユーザが状態情報を要求することを許可する。本発明の一つの実施例によれば、状態情報の画像データを更に画像認識手法で処理して名称提案を生成することも可能である。
【００２４】
図2の実施例には、移動局の位置データを問合せ、受信した位置データに基づいて映像ファイル名称提案を作成する手段が含まれる。位置決定のための手段として、図2にはGPS（全地球測位システム）部212が示される。GPS部を介して、移動局は、全地球測位手法で生成された位置データを受信する。このデータは、普通、移動局の現在の位置座標で構成される。更に、移動局は、受信した位置データを処理する手段を備える。例えば、受信した位置座標をアドレスデータあるいは他の言語位置データに変換するマップアプリケーションなどの手段である。
【００２５】
図3は、名称提案表を作成するための本発明の一つの実施例に係わる方法を示す。ステップ301において、移動局では、撮影時期に対応する日時情報が探索される。このデータは名称対案へ変換される。その名称提案は映像ファイル名称提案表に付加される。移動局では、撮影時期に関する日時情報が探索される。この日時情報に基づいて、日時などの数値名称提案あるいは朝や夜あるいは夏や冬といった言語名称提案が名称提案表に生成される。
【００２６】
一つの実施例によれば、移動局では、撮影時期に所与の精度で対応するカレンダー事象が探索される。適当なカレンダー事象が見つかった場合、当該カレンダー事象を映像ファイル名称提案表に名称提案として付加する。ステップ302において、カレンダー事象が調査される。例えば、その時点とステップ301において検索された装置の撮影時間情報とを比較することによって、映像ファイルの名称提案としての適切かどうかが調べられる。同一の時点に所与の精度で対応するカレンダー事象あるいは知らせが見つかった場合、それを名称提案表に付加する。カレンダーには、サッカーの練習とか野外コンサートとか誕生パーティといった事象や記念日などの知らせが書込まれる。これらは、概して、名称提案表に相応しい記述的提案である。
【００２７】
ステップ303において、移動局では、以前に保管された映像ファイルのファイル名が探索され、保管対象の映像ファイルの名称提案表に名称提案として付加される。以前に保管された映像ファイルについては、映像ファイル格納部や同等の映像が保管された場所から探索される。本ステップにおいて、以前に保管された映像に対応する別の情報を検索することも可能である。特に、以前の映像ファイルを記録してから短時間しか経過していない場合は可能である。最新の二枚の映像の間の時間間隔が所与の限度より短い場合、新しい名称提案の前半分は以前の映像のと同じであってもよい。しかし、それぞれのファイル名には、二つのファイルを区別できるようなはっきりした特徴がなければならない。一つの実施例によれば、短時間の内に撮られた二枚の連続する映像の省略時名が同一の名称提案となるように規定することができる。ファイル名は、例えば、名称の語尾に付加される名称提案などの手段によって区別される。一つの実施例によれば、映像ファイルを区別するのに有用な特徴は、装置の刻時機構で探索される撮影時点である。二枚の別個の映像は撮影時間がまったく同じであるはずはないからである。
【００２８】
ステップ304において、ユーザ固有の動作プロファイルデータから、映像ファイルの名称提案が探索される。ステップ305において、装置の設定と現在のモードとから、名称提案表へ付加される提案が探索される。優先的実施例によれば、選ばれた呼出し音やロゴ名や歓迎文やユーザプロファイル名などの情報を根拠として、映像に対応する情報が、移動局のプロファイルと設定とから探索され、映像ファイル名称提案表に名称提案として付加される。一つの実施例によれば、ユーザによって設定された状態情報が、移動局の動的電話帳から探索され、映像ファイルの名称提案として設定される。状態情報はユーザによって設定される現在の状態情報であり、ユーザによって規定された特定の人物によって探索可能な情報である。状態情報は、例えば、ユーザが外国にいることを示す。この場合、移動局でこの情報を検索した人物は、例えば、より適切な時期にユーザに接触するよう手配する。少なくとも、その人物は、自分がいる場所と外国にいるユーザとの時差を認識する。状態情報には、編集後などに名称提案として使用されるテキストが含まれる。更に、状態情報には、例えば画像認識手法によって名称提案へと編集される映像情報がふくまれる。
【００２９】
一つの実施例によれば、保管対象の映像は移動局画像認識アルゴリズムで処理されて、映像から認識された特徴に基づいて映像ファイル名称提案が生成される。また、生成された名称提案は映像ファイル名称提案表に付加される。ステップ306において、画像認識アルゴリズムが実行され、ある特徴が保管対象の映像から探索される。画像認識手法によって、例えば、映像の輝度やパターンや人物や目標や場所や環境など映像で提示されるものを観察できる。これらから、名称提案が生成され、例えば、以前の映像の特徴と比較される。この比較に基づいて名称提案を生成することも可能である。そして、共通の特徴が名称提案表に付加される。画像認識手法を用いることによって、記録ステップで映像を組分けすることができる。そして、所与の特徴に基づいて生成された名称提案すなわち以前の映像や映像組に現れた特徴に基づいて生成された名称提案に優先順位がつけられる。最も順位の高い名称提案が名称提案表の一番上に記録される。このように、名称提案表においては、名称提案は重要度順に並べられ、最も優先順位の高いものが表の一番目にくる。例えば、映像の輝度に基づいて名称提案を生成するとき、撮影時間が夜の場合について考える。移動局刻時機構による時点が夜の場合、互いに異なる二つの位置から求めた二つのヒントが互いを支援し、撮影時間を確実に示すヒントとなる。一つの実施例によれば、この強力なヒントは、名称提案表の上端に名称提案として付加される。
【００３０】
同一の特徴をもつ映像の名称提案表には、やはり、同一の名称提案が含まれる。同一の優先規則が適用される場合には順序も同じである。映像は、映像ファイル用に提案された省略時名に基づいて組分けされる。そして、互いに類似し同一の特徴を示す映像ファイルの省略時名には、画像認識の際に見つかった同一の名称提案が含まれる。
【００３１】
ステップ307において、移動局の現在の位置情報が探索される。この情報は例えばGPS位置決め手法によって生成される。GPS位置決めで求められた座標情報は、例えば、インターネットで用いられるマップアプリケーションによって、言語アドレスデータあるいは位置座標から認識される場所や建物や土地や町などへ変換される。それから、本発明の一つの実施例に係わる名称提案が作成される。画像認識アルゴリズムを使うことによっても、移動局の位置データを用いることによっても、周知の目標例えば自由の女神を認識することは可能である。
【００３２】
一つの実施例によれば、移動局において、ユーザ指定の名称提案が探索される。探索されたユーザ指定の名称提案は、映像ファイル名称提案表に名称提案として設定される。ステップ308において、ユーザによって入力された名称提案がメモリから検索される。ユーザは、自身の装置で最もよく使用される名称を入力し記録する。これらの名称は、作成される名称提案表に必ず含有される。図3の実施例では、これらの名称は別個に最後に印字される。しかし、当然、ユーザ自身の名称提案をユーザ固有のプロファイルの一部として付加することができる。この場合、本実施例の対応する情報がステップ304で探索される。図3に記載の内容に関連して、名称提案表に編纂される情報の実例を示す。装置内に既に存在する情報あるいは装置用に入手可能な情報に基づいて、あるいは、映像から生成された情報に基づいて、名称提案表を上記のものとは異なる形式に編纂することも可能である。
【００３３】
一つの実施例によれば、生成された映像ファイル名称提案表内の名称提案は、所定の優先規則に従って優先順位がつけられる。そして、最も優先順位の高い名称提案が表の一番上に来るように名称提案が設定される。名称提案表の一番目の名称提案は、ユーザインターファイスを介して映像ファイルの省略時名として設定される。図3の実施例では、生成された名称提案は、優先順位がつけられる。すなわち、ステップ309において所与の優先規則に従って優先順位が設定される。優先規則は、所与の状況において適用可能なように幾つかの方法で規定される。例えば、所与の重要性順に名称提案が探索されるように規定される。この場合、名称提案は、検索されるのと同じ順序に名称提案表に付加される。必要なければ、優先順位付けステップ309は省略される。第二の方法は、新しい名称提案が検索される度に、それを名称提案表に既に存在するものと比較して、表内の場所を決めるという方法である。普通、最も重要な名称提案は最も適切なものとして分類され表の一番目に記載される。提案は、優先順に配列される。順序は、名称提案の探索が行われる場所あるいはステップに従って決定される。別の実施例によれば、順序は、以前に保管された映像の名称提案と同じ名称提案によって左右される。普通、時限に対応する名称提案である。以前の映像の情報は例えば日付が同じときだけ有効である。例えば、以前の映像が一週間古いと、それはもう新しい映像の命名に何等重要な意味合いを持たなくなる。一つの実施例によれば、時点の整合するカレンダー事象が最も良いヒントとされる。別の実施例によれば、ヒントは全部が画像認識によって生成された名称提案と比較される。そして、最も適当なものが優先規則に従って選出される。しかも、優先規則は、例えば、言語ヒントが数値ヒントより先にくるように、あるいは、二文字もしくは八文字名称提案よりも五文字名称提案の方が優先順位が高くなるように規定される。一つの優先規則によれば、優先順位の最も高いものとして選出された名称提案は、ユーザ入力に最もよく類似している。優先規則は、また、二回の検索で同一のあるいはほぼ同一の名称提案が得られた場合、その名称提案に与えられるはずの順位より高く順位づけられるように規定される。普通、省略時名としては周知の語句か用語を含んだ名称が好まれる。言語名称は、命名されたファイルの内容についてのヒントを与えたり推測を促したりするからである。これは、後にファイルを処理する際に重要である。
【００３４】
ステップ309で名称提案の優先順位が決定されると、ステップ310で映像ファイル用の最も優先順位の高い最も適当な省略時名が選出される。本実施例では、ステップ309において最適な提案と分類された名称は、映像ファイルの省略時名として設定される。ステップ311において、生成された名称提案がユーザインターファイスを介してユーザに表示される。表示された名称提案に基づいて、ユーザは、提案された省略時名を完全に異なる名称に置換えることも、提案された名称を編集することも可能である。映像ファイル名は、どれか一つあるいは数個の名称提案を指定することによって、もしくは、名称提案を編集することによって決定される。名称を数個の部分から成るようにすることもできる。この場合、例えば、省略時名「カモ」が画像認識によって生成された場合、名称提案が提示されているユーザインターフェイスのメニューからその省略時名を選択することによって、日付情報に基づいて作成された季節が付加される。採用された名称が例えば「カモ-冬」だった場合、名称の前半は保管対象の映像の内容を表し、後半は映像を撮影時期に対応づけるものである。作成されたファイル名から、保管された映像は冬毛に覆われたカモを表現したものであるという結論が引出される。一つの実施例によれば、数個の部分から成るファイル名提案の各部分の間には、上記の例で用いられたハイフン（-）などの分離文字が付加される。ファイル名の後には普通ユーザインターフェイスを介して自動的に識別子が付加される。
【００３５】
所望の映像ファイル名が決定すると、移動局は、対応するファイル名が既に保管されているかどうか判断する。完全に同一のファイル名が存在する場合、一つの実施例によれば、移動局はユーザに事実を知らせる。この場合、以前に保管された同一名称のファイルに記録対象の映像を保管したくなければ、ユーザは名称を変更するよう求められる。さもなければ、以前の映像ファイルの内容は失われる。別の実施例によれば、移動局は、通し番号や時間パラメータや名称提案表において隣に位置する名称提案などを名称提案に付加する。これによって、ファイル名を以前の名称から区別できる。普通、保管対象の映像は既に存在する映像ファイルには書込まれない。しかし、ユーザには状況が知らされ、ファイルを判別できるように、ユーザが決定した映像ファイル名の変更が提案される。
【００３６】
本発明の一つの実施例は、移動局カメラで保管対象の映像が撮られたらすぐに適用可能である。その後、一つの実施例によれば、名称提案表が作成され、優先順位の最も高い名称提案に従って映像のファイル名が自動的に提案される。一つの実施例によれば、名称提案表はユーザインターフェイスを介してユーザに提示される。ユーザは所望の提案を一つか複数個選択してキーパッドなどを使って手動で編集することも可能である。別の実施例によれば、本発明に係わる名称提案表は、移動局カメラで保管対象の映像が撮られる前に作成される。ユーザは、名称提案を使用することによっても使用しなくても、作成される映像ファイル名を自分の好みどおりに編集することが可能である。名称提案表は、ユーザが指定した名称提案や以前に保管された映像ファイルの名称や装置に保管された設定とプロファイルデータなどの入手可能な情報を元に編纂される。第三の実施例によると、移動局のメモリに既に保管されている以前に記録した映像ファイルが命名される。メモリに保管された映像ファイルに対しては、本発明の一つの実施例に従って名称提案表が作成される。メモリに保管された映像ファイルについての撮影時期に関するデータは、必ずしも全部が入手可能でなくても良い。しかし、本実施例においては、存在する映像ファイルから生成もしくは探索される情報を利用することが可能である。例えば、以前の撮影時期に一致するカレンダー上の注釈は入手不可能の場合がある。しかし、映像ファイルは画像認識手段によって処理される。この場合、作成される名称提案表の名称提案は、概して、映像ファイルの内容から求められる。本実施例においては、名称提案と省略時名を変更する手段とが、ユーザインターフェイスを介してユーザに提供される。
【００３７】
上記の明細書において、移動局用に入手可能な情報に基づいて本発明のさまざまな実施例に従って名称提案を生成する種々の方法について例を挙げて説明した。ただし、説明した実施例と実例とは本発明の範囲を制限するものではない。装置や映像の発展に伴い、本発明の実施例に有用な情報は、映像記録法などの様々なコンテンツを含む映像情報に基づく多数の方法によって検索され生成される。
【図面の簡単な説明】
【００３８】
【図１】映像ファイルに命名するための本発明の実施例に係わる方法を示す。
【図２】本発明の一つの実施例に係わる移動局を示すブロック図である。
【図３】名称提案を作成するための本発明の実施例に係わる方法を示す。
【図１】
2007504546.tif 000003
【図２】
2007504546.tif 000004
【図３】
2007504546.tif 000005
【国際調査報告】
2007504546.tif 000006
2007504546.tif 000007